(57)【要約】      （修正有）【課題】ユーザーが携帯電子機器をＩＤキーとして利用したい場合に、出入管理装置に登録されているＩＤ情報を容易に携帯電子機器に登録できる出入管理装置を提供する。【解決手段】ＩＤキー２の識別情報が予め登録されているＩＤキーデータベースを備え、リーダーにより読み取られたユーザーの携行するＩＤキーの識別情報を受信し、受信したＩＤキーの識別情報が、ＩＤキーデータベースに登録されているか否かを判定し、ＩＤキーの識別情報がＩＤキーデータベースに登録されていると判定された場合に、建物の出入管理ゲートに取り付けられた電気錠の解錠を制御するための信号を出力する出入管理装置１は、ＩＤキーデータベースに登録されているＩＤキーのうち、選択されたＩＤキーの識別情報が埋め込まれたＱＲコード（登録商標）をプリンター３に出力する。【選択図】図３
2016194212.tif 000002
【特許請求の範囲】
【請求項１】
ユーザーの携行するＩＤキーに記憶された前記ＩＤキーの識別情報に基づいて、建物の出入管理ゲートに取り付けられた電気錠の解錠を制御する出入管理装置であって、
前記出入管理装置は、
制御部と、
前記ＩＤキーの識別情報が予め登録されているＩＤキーデータベースを記憶する記憶部と、
前記ＩＤキーの識別情報を読み取るリーダーとのインターフェース部と、
プリンターとのインターフェース部と、
を備え、
前記制御部は、
前記リーダーにより読み取られた前記ユーザーの携行する前記ＩＤキーの識別情報を前記インターフェース部を介して受信し、受信した前記ＩＤキーの識別情報が、前記ＩＤキーデータベースに登録されているか否かを判定する判定部と、
前記判定部により、前記ＩＤキーの識別情報が前記ＩＤキーデータベースに登録されていると判定された場合に、前記電気錠の解錠を制御するための信号を出力する出入管理制御部と、
前記ＩＤキーデータベースに登録されているＩＤキーのうち、選択されたＩＤキーの識別情報を前記プリンターとのインターフェース部を介して前記プリンターに出力するＩＤキー編集部と、
を備えることを特徴とする出入管理装置。
【請求項２】
前記ＩＤキー編集部は、さらに、
前記ＩＤキーの識別情報を、前記ＩＤキーの識別情報が埋め込まれた２次元コードとして出力することを特徴とする、請求項１に記載の出入管理装置。
【請求項３】
前記２次元コードはＱＲコード（登録商標）であることを特徴とする、請求項２に記載の出入管理装置。
【請求項４】
前記ＩＤキー編集部は、さらに、
前記選択されたＩＤキーの識別情報を前記プリンターとのインターフェース部を介して前記プリンターに出力する替わりに、所定のアドレスに対して前記選択されたＩＤキーの識別情報を記載したメールを送信するメール送信部と、
前記プリンターへの出力と前記メールの送信のいずれかを選択する選択手段と、
を備え、
前記ＩＤキー編集部は、前記選択手段により、前記メールの送信が選択された場合、前記ＩＤキーの識別情報を前記メール送信部を介して前記所定のアドレスに送信する、請求項１乃至請求項３のいずれか１項に記載の出入管理装置。
【請求項５】
ユーザーの携行するＩＤキーに記憶された前記ＩＤキーの識別情報に基づいて、建物の出入管理ゲートに取り付けられた電気錠の解錠を制御する出入管理装置と通信可能に接続される、管理ＰＣであって、
前記出入管理装置は、
前記ＩＤキーの識別情報が予め登録されているＩＤキーデータベースを記憶する記憶部と、
前記ＩＤキーの識別情報を読み取るリーダーとのインターフェース部と、
前記リーダーにより読み取られた前記ユーザーの携行する前記ＩＤキーの識別情報を前記インターフェース部を介して受信し、受信した前記ＩＤキーの識別情報が、前記ＩＤキーデータベースに登録されているか否かを判定する判定部と、
前記判定部により、前記ＩＤキーの識別情報が前記ＩＤキーデータベースに登録されていると判定された場合に、前記電気錠の解錠を制御するための信号を出力する出入管理制御部と、
を備え、
前記管理ＰＣは、
制御部と、
プリンターとのインターフェース部と、
を備え、
前記制御部は、
前記ＩＤキーデータベースに登録されているＩＤキーのうち、選択されたＩＤキーの識別情報を前記プリンターとのインターフェース部を介して前記プリンターに出力するＩＤキー編集部、
を備えることを特徴とする管理ＰＣ。
【請求項６】
前記ＩＤキー編集部は、さらに、
前記ＩＤキーの識別情報を、前記ＩＤキーの識別情報が埋め込まれた２次元コードとして出力することを特徴とする、請求項５に記載の管理ＰＣ。
【請求項７】
前記２次元コードはＱＲコード（登録商標）であることを特徴とする、請求項６に記載の管理ＰＣ。
【請求項８】
前記ＩＤキー編集部は、さらに、
前記選択されたＩＤキーの識別情報を前記プリンターとのインターフェース部を介して前記プリンターに出力する替わりに、所定のアドレスに対して前記選択されたＩＤキーの識別情報を記載したメールを送信するメール送信部と、
前記プリンターへの出力と前記メールの送信のいずれかを選択する選択手段と、
を備え、
前記ＩＤキー編集部は、前記選択手段により、前記メールの送信が選択された場合、前記ＩＤキーの識別情報を前記メール送信部を介して前記所定のアドレスに送信する、請求項５乃至請求項７のいずれか１項に記載の管理ＰＣ。
【請求項９】
請求項１乃至請求項８のいずれか１項に記載の前記プリンターに出力されたＩＤキーの識別情報を、カメラと、記憶部と、制御部とを備える携帯電子機器が、前記記憶部に記憶するＩＤキーの識別情報コピー方法であって、
前記制御部により、
前記ＩＤキーの識別情報を前記カメラにより画像データとして取得する画像データ取得ステップと、
前記画像データ取得ステップで取得した画像データをコード変換して、前記ＩＤキーの識別情報のコードデータを取得するコード変換ステップと、
前記コード変換ステップで取得した前記ＩＤキーの識別情報のコードデータを前記記憶部に記憶する記憶ステップと、
を含むＩＤキーの識別情報コピー方法。
【請求項１０】
請求項４又は請求項８に記載の前記メール送信部から受信したメールに記載されたＩＤキーの識別情報を、記憶部と、制御部とを備える携帯電子機器が、前記記憶部に記憶するＩＤキーの識別情報コピー方法であって、
前記制御部により、
前記ＩＤキーの識別情報を記載したメールを受信するメール受信ステップと、
前記メール受信ステップで取得した前記ＩＤキーの識別情報をコード変換して、前記ＩＤキーの識別情報のコードデータを取得するコード変換ステップと、
前記コード変換ステップで取得した前記ＩＤキーの識別情報のコードデータを前記記憶部に記憶する記憶ステップと、
を含むＩＤキーの識別情報コピー方法。
【発明の詳細な説明】
【技術分野】
【０００１】
本発明は、例えばマンション等の集合住宅のように管理対象となる共用エントランス（共用玄関、集合エントランス、施設内の共有スペース）の出入、共用施設の利用、及びエレベータの乗降、宅配ボックス等の共用設備の操作、、またオフィス、ホテル、病院等の商業施設、公共施設等の大型施設等の各種物件における出入口、玄関等のゲートへの出入等を管理する出入管理装置に関するものである。
特に、扉に取り付けられた電気錠を電気的に解錠する際、又は共用設備を操作する際に、携帯型リモコンキー、非接触型カードキー等（以下「ＩＤキー」ともいう）に記憶されているＩＤキーの識別情報（以下「ＩＤ情報」ともいう）に基づいて、解錠の可否又は共用設備操作の可否を判定する出入管理装置に関する。
【背景技術】
【０００２】
従来より、集合住宅や一般住宅のエントランスや各戸の玄関、ホテルやオフィスビル等の商業施設や公共施設の入出口等の建物の各種ゲート（扉）には、不審者の侵入を回避するため、電気錠システムが採用されている。
【０００３】
近年では、ＲＦＩＤタグ（Ｒａｄｉｏ  Ｆｒｅｑｕｅｎｃｙ  Ｉｄｅｎｔｉｆｉｃａｔｉｏｎ  Ｔａｇ）を搭載したノンタッチキー、近距離無線通信ＮＦＣ（Ｎｅａｒ  Ｆｉｅｌｄ  Ｃｏｍｍｕｎｉｃａｔｉｏｎ）（例えば、国際標準規格の「ＩＳＯ  １４４４３  Ｔｙｐｅ  Ａ」と「同  Ｔｙｐｅ  Ｂ」）を可能とするＩＣを搭載したＩＤキー、及びＦｅｌｉｃａ（登録商標）等の非接触ＩＣカードをＩＤキーとして使用するＩＣカードキー等の利用が増えている。
例えば、特許文献１には、ＩＤキーに記憶されているＩＤ情報をリーダーに読みとらせ、リーダーを介して受信したＩＤ情報と、自身の有するデータベースに登録された情報とを照合し、受信したＩＤキーに対応するＩＤ情報がデータベースに登録されているときに限り、当該ＩＤ情報に対応するＩＤキーを正当なものと判定して、制御対象とする共用エントランス等のゲートの解錠等を許可するための信号を、例えば電気錠操作盤、自動扉制御器等に出力する出入管理装置が記載されている。
【０００４】
他方、携帯電子機器として、近距離無線通信ＮＦＣをサポートしたスマートフォン等の携帯電子機器を常時携行しているユーザーが増えており、このようなユーザーには、スマートフォン等の携帯電子機器をＩＤキーとして利用したいというニーズがある。
例えば、特許文献２には、専用部の扉に取り付けられた既存の既存施解錠キー２０Ａ（例えば、携帯型リモコンキー、非接触型カードキー等）に記憶された施解錠情報を、施解錠アプリをインストールした新規施解錠キー２０Ｂ（例えば、スマートフォンのような携帯電子機器）に移行することが記載されている。
【先行技術文献】
【特許文献】
【０００５】
【特許文献１】特開２００１−２４１２２６号公報
【特許文献２】特開２０１３−１８５３４７号公報
【発明の概要】
【発明が解決しようとする課題】
【０００６】
しかしながら、特許文献２に記載の施解錠情報の移行方法は、新規施解錠キー２０Ｂが既存施解錠キー２０Ａから、施解錠情報を直接受け取るものである。このため、既存施解錠キー２０Ａと新規施解錠キー２０Ｂとの間で相互で通信可能な環境を必要とする。
すなわち、特許文献２に記載の施解錠情報の移行方法は、既存施解錠キー２０Ａと新規施解錠キー２０Ｂとの通信環境の下で、新規施解錠キー２０Ｂで施解錠アプリを起動した状態で既存施解錠キー２０Ａに記録された施解錠情報を新規施解錠キー２０Ｂに移行することができるというものである。
【０００７】
したがって、既存施解錠キー２０Ａと新規施解錠キー２０Ｂとの間で共通の通信環境を有していない場合には、既存施解錠キー２０Ａに記録された施解錠情報を新規施解錠キー２０Ｂに移行することができない。
例えば、既存施解錠キー２０ＡがＦｅｌｉｃａ（登録商標）カードの場合、ユーザーは、Ｆｅｌｉｃａ（登録商標）カードと通信をすることのできないスマートフォンに対して、Ｆｅｌｉｃａ（登録商標）カードに記録された施解錠情報を移行することはできない。
このため、結局、スマートフォンへのデータ移行作業そのものを管理者又は業者に依頼しなければならず、煩雑さは解消されなかった。
【０００８】
また、特許文献２に記載された発明は、専用部の鍵に関する発明であって、共用エントランスのゲート、共用施設の利用、及びエレベータの乗降、宅配ボックス等の共用設備の操作等に適用することはできない。
【０００９】
そこで、本発明は上記問題点に鑑みてなされたものであり、ユーザーが、スマートフォンのような携帯電子機器をＩＤキーとして利用したい場合に、出入管理装置に登録されているＩＤ情報を、容易にスマートフォンのような携帯電子機器に登録することのできるシステム及び方法を提供することを目的とするものである。
【課題を解決するための手段】
【００１０】
本発明は、ユーザーの携行するＩＤキーに記憶された前記ＩＤキーの識別情報に基づいて、建物の出入管理ゲートに取り付けられた電気錠の解錠を制御する出入管理装置であって、前記出入管理装置は、制御部と、前記ＩＤキーの識別情報が予め登録されているＩＤキーデータベースを記憶する記憶部と、前記ＩＤキーの識別情報を読み取るリーダーとのインターフェース部と、プリンターとのインターフェース部と、を備え、前記制御部は、前記リーダーにより読み取られた前記ユーザーの携行する前記ＩＤキーの識別情報を前記インターフェース部を介して受信し、受信した前記ＩＤキーの識別情報が、前記ＩＤキーデータベースに登録されているか否かを判定する判定部と、前記判定部により、前記ＩＤキーの識別情報が前記ＩＤキーデータベースに登録されていると判定された場合に、前記電気錠の解錠を制御するための信号を出力する出入管理制御部と、前記ＩＤキーデータベースに登録されているＩＤキーのうち、選択されたＩＤキーの識別情報を前記プリンターとのインターフェース部を介して前記プリンターに出力するＩＤキー編集部と、を備えることを特徴とする出入管理装置に関する。
【００１１】
前記ＩＤキー編集部は、さらに、前記ＩＤキーの識別情報を、前記ＩＤキーの識別情報が埋め込まれた２次元コードとして出力することが好ましい。
【００１２】
前記２次元コードはＱＲコード（登録商標）であることが好ましい。
【００１３】
前記ＩＤキー編集部は、さらに、前記選択されたＩＤキーの識別情報を前記プリンターとのインターフェース部を介して前記プリンターに出力する替わりに、所定のアドレスに対して前記選択されたＩＤキーの識別情報を記載したメールを送信するメール送信部と、前記プリンターへの出力と前記メールの送信のいずれかを選択する選択手段と、を備え、前記ＩＤキー編集部は、前記選択手段により、前記メールの送信が選択された場合、前記ＩＤキーの識別情報を前記メール送信部を介して前記所定のアドレスに送信することが好ましい。
【００１４】
本発明は、ユーザーの携行するＩＤキーに記憶された前記ＩＤキーの識別情報に基づいて、建物の出入管理ゲートに取り付けられた電気錠の解錠を制御する出入管理装置と通信可能に接続される、管理ＰＣであって、前記出入管理装置は、前記ＩＤキーの識別情報が予め登録されているＩＤキーデータベースを記憶する記憶部と、前記ＩＤキーの識別情報を読み取るリーダーとのインターフェース部と、前記リーダーにより読み取られた前記ユーザーの携行する前記ＩＤキーの識別情報を前記インターフェース部を介して受信し、受信した前記ＩＤキーの識別情報が、前記ＩＤキーデータベースに登録されているか否かを判定する判定部と、前記判定部により、前記ＩＤキーの識別情報が前記ＩＤキーデータベースに登録されていると判定された場合に、前記電気錠の解錠を制御するための信号を出力する出入管理制御部と、を備え、前記管理ＰＣは、制御部と、プリンターとのインターフェース部と、を備え、前記制御部は、前記ＩＤキーデータベースに登録されているＩＤキーのうち、選択されたＩＤキーの識別情報を前記プリンターとのインターフェース部を介して前記プリンターに出力するＩＤキー編集部、を備えることを特徴とする管理ＰＣに関する。
【００１５】
前記ＩＤキー編集部は、さらに、前記ＩＤキーの識別情報を、前記ＩＤキーの識別情報が埋め込まれた２次元コードとして出力することが好ましい。
【００１６】
前記２次元コードはＱＲコード（登録商標）であることが好ましい。
【００１７】
前記ＩＤキー編集部は、さらに、前記選択されたＩＤキーの識別情報を前記プリンターとのインターフェース部を介して前記プリンターに出力する替わりに、所定のアドレスに対して前記選択されたＩＤキーの識別情報を記載したメールを送信するメール送信部と、前記プリンターへの出力と前記メールの送信のいずれかを選択する選択手段と、を備え、前記ＩＤキー編集部は、前記選択手段により、前記メールの送信が選択された場合、前記ＩＤキーの識別情報を前記メール送信部を介して前記所定のアドレスに送信するが好ましい。
【００１８】
本発明は、さらに、前記プリンターに出力されたＩＤキーの識別情報を、カメラと、記憶部と、制御部とを備える携帯電子機器が、前記記憶部に記憶するＩＤキーの識別情報記憶方法であって、前記制御部により、前記ＩＤキーの識別情報を画像データとして取得する画像データ取得ステップと、前記画像データ取得ステップで取得した画像データをコード変換して、前記ＩＤキーの識別情報のコードデータを取得するコード変換ステップと、前記コード変換ステップで取得した前記ＩＤキーの識別情報のコードデータを前記記憶部に記憶する記憶ステップと、を含むＩＤキーの識別情報コピー方法に関する。
【００１９】
本発明は、さらに、前記メール送信部から受信したメールに記載されたＩＤキーの識別情報を、記憶部と、制御部とを備える携帯電子機器が、前記記憶部に記憶するＩＤキーの識別情報コピー方法であって、前記制御部により、前記ＩＤキーの識別情報を記載したメールを受信するメール受信ステップと、前記メール受信ステップで取得した前記ＩＤキーの識別情報をコード変換して、前記ＩＤキーの識別情報のコードデータを取得するコード変換ステップと、前記コード変換ステップで取得した前記ＩＤキーの識別情報のコードデータを前記記憶部に記憶する記憶ステップと、を含むＩＤキーの識別情報コピー方法に関する。
【発明の効果】
【００２０】
本発明によれば、ユーザーが携帯電子機器（例えばスマートフォン等）を、建物の出入管理ゲートを通過するためのＩＤキーとして利用したい場合に、出入管理装置に登録されているＩＤ情報を、容易に携帯電子機器に登録することができる。
【図面の簡単な説明】
【００２１】
【図１】出入管理装置１をスタンドアローンで使用する場合の出入管理システム１００の全体構成を示す構成図である。
【図２】出入管理装置１をスタンドアローンで使用する場合の機能ブロック図である。
【図３】出入管理装置１をスタンドアローンで使用する場合に、ＩＤキーのＩＤ情報をスマートフォン等の携帯電子機器に登録する処理を説明するための概念図である。
【図４】出入管理装置１を管理ＰＣによって管理するネットワーク形態で使用する場合の出入管理システム１００の全体構成を示す構成図である。
【図５】出入管理装置１を管理ＰＣによって管理するネットワーク形態で使用する場合の機能ブロック図である。
【図６】出入管理装置１を管理ＰＣによって管理するネットワーク形態で使用する場合に、ＩＤキーのＩＤ情報をスマートフォン等の携帯電子機器に登録する処理を説明するための概念図である。
【発明を実施するための形態】
【００２２】
［第１実施形態］
以下、本発明の出入管理システム１００の好ましい一実施形態について、図を参照しながら説明する。第１実施形態は、出入管理装置１をスタンドアローンで使用する実施形態である。
【００２３】
まず、本発明に係る出入管理システム１００の構成について、図１を参照しながら説明する。本形態では、出入管理システム１００の導入先の一例として、例えばマンション等の集合住宅のように管理対象となる共用エントランス（共用玄関、集合エントランス、施設内の共有スペース）のゲート（扉）、またオフィス、ホテル、病院等の商業施設、公共施設等の大型施設等の各種物件における出入口、玄関等のゲートへの出入への利用者の入退出制限をかける必要のある建物を対象としている。
【００２４】
図１に示すように、出入管理システム１００は、出入管理装置１と、リーダー１６と、電気錠操作盤１８と、電気錠１８１と、自動扉制御器１７と、自動扉と、宅配ロッカー制御器８と、エレベーター制御器９（図示せず）等を含むことができる。また、プリンター３を含むことができる。これらの機器は、信号ケーブル又はネットワーク等で接続されている。
【００２５】
出入管理装置１は、例えば、例えばマンション等の集合住宅のように管理対象となる共用エントランス（共用玄関、集合エントランス、施設内の共有スペース）の出入、共用施設の利用、及びエレベータの乗降、宅配ボックス等の共用設備の操作、またオフィス、ホテル、病院等の商業施設、公共施設等の大型施設等の各種物件における出入口、玄関等のゲート等において使用する制御器であって、電気錠１８１、自動ドアの解錠、共用設備の操作許可等を制御する装置である。
出入管理装置１は、複数個のＩＤキーを予め登録して使用する。ここで、ＩＤキーとしては、例えば、ＲＦＩＤタグ（Ｒａｄｉｏ  Ｆｒｅｑｕｅｎｃｙ  Ｉｄｅｎｔｉｆｉｃａｔｉｏｎ  Ｔａｇ）を搭載したノンタッチキー、近距離無線通信ＮＦＣ（Ｎｅａｒ  Ｆｉｅｌｄ  Ｃｏｍｍｕｎｉｃａｔｉｏｎ）を可能とするＩＣを搭載したＩＤキー、及びＦｅｌｉｃａ（登録商標）等の非接触ＩＣカードをＩＤキーとして使用するＩＣカードキー等がある。
出入管理装置１の詳細については、後述する。
【００２６】
＜リーダー１６＞
リーダー１６は、ＩＤキーから、例えば、ＲＦＩＤタグ、近距離無線通信ＮＦＣ等によってＩＤ情報を読み取り、読み取ったＩＤ情報等を出入管理装置１に送信することができる。リーダー１６は、例えば、一定周期で所定範囲内に近接するＩＤキーに対してポーリングを行い、ＩＤキーが所定範囲内に近接した際にＩＤキーに記憶されているＩＤ情報の読み取りを行うことができる。
【００２７】
なお、ＩＤキーからのＩＤ情報の読み取り方法としては、ポーリングによる読み取りの他、省電力化を図る目的としてユーザーの操作の意思を確認するため、リーダー１６の所定箇所に設けた操作ボタンが操作されたときにのみＩＤキーからＩＤ情報の読み取りを行う構成とすることもできる。
【００２８】
また、リーダー１６は、例えば、ＩＤキーのＲＦＩＤタグ（パッシブタグの場合）からＩＤ情報を読み取り、読み取ったＩＤ情報等を出入管理装置１に送信することができる。この場合、ＩＤキーは、リーダからの電波をエネルギー源として動作することで、リーダー１６がＲＦＩＤタグからＩＤ情報を読み取ることができる。
【００２９】
この他、リーダー１６は、ＢＬＥ（Ｂｌｕｅｔｏｏｔｈ  Ｌｏｗ  Ｅｎｅｒｇｙ）（登録商標）等によってＩＤ情報を読み取ることができる。以上のように、リーダー１６は、複数の通信プロトコルに対応することができる。
【００３０】
＜プリンター３＞
プリンター３は、後述する、出入管理装置１のＩＤ編集部１０４により、後述するＩＤキーデーベース１１１に登録されたＩＤ情報を、例えばＱＲコード（登録商標）のような２次元バーコードの形式で編集された帳票データを、出入管理装置１の後述する出力インタフェース部１４を介して受信して、リスト出力する。
【００３１】
＜その他＞
自動扉制御器１７は、出入管理装置１から信号を受信することで、当該信号に基づいて自動扉の施解錠を行う。同様に、電気錠操作盤１８は、出入管理装置１から信号を受信することで、当該信号に基づいて電気錠１８１の施解錠を行う。
また、宅配ロッカー制御器８、及びエレベーター制御器９（図示せず）等についても、それぞれ出入管理装置１から信号を受信することで、当該信号に基づいて、それぞれ、宅配ロッカーの操作及びエレベータの操作等を可能とする。
【００３２】
＜出入管理装置１＞
次に、出入管理装置１をスタンドアローンで使用する実施形態について説明する。
図２に示すように、出入管理装置１は、制御部１０と、記憶部１１と、通信部１２と、入力インタフェース部１３と、出力インタフェース部１４と、表示部１５と、を含むことができる。
また、例えば管理会社の職員が、出入管理装置１の記憶部１１に保存されたゲート等の操作に関するログ情報を回収する場合、ログ情報を出入管理装置１から取得できるように、ＵＳＢメモリを接続するためのＵＳＢ端子を備えることもできる。
【００３３】
通信部１２は、例えばスイッチングハブ、ＬＡＮケーブル等を介して、他の周辺装置とのデータの送受信等を行うことができる。
【００３４】
入力インタフェース部１３は、ユーザーにより後述するリーダー１６に読み取らせたＩＤキーの記憶部に記憶されたＩＤ情報を受信して、制御部１０に渡す。
【００３５】
出力インタフェース部１４は、制御部１０の指示に基づき、制御部１０により出力されるデータ、信号等を外部機器（例えば、電気錠操作盤１８、自動扉制御器１７、宅配ロッカー制御器８、エレベーター制御器９（図示せず）等）に出力する。
また、後述するように、制御部１０（後述のＩＤ編集部）は、後述する記憶部１１のＩＤキーデータベース１１１に登録されているＩＤキーのうち、選択されたＩＤキーの識別情報を出力インタフェース部１４を介してプリンター３に出力する。
表示部１５は、例えば液晶ディスプレイ又は有機ＥＬパネル等の表示デバイスにより構成される。表示部１５は、制御部１０からの指示を受けて、例えば、後述するＩＤ編集部１０４により作成されるＩＤ情報が入力（又は記憶）されたＱＲコード（登録商標）のような画像データを表示することができる。
【００３６】
制御部１０は、例えばＣＰＵやＲＯＭ，ＲＡＭ等を有するマイクロコンピュータ等から構成され、出入管理装置１を構成する各構成部の制御を行う。ＣＰＵは、ＲＯＭ又は記憶部１１から読み出した各プログラムを実行し、その実行の際にはＲＡＭ、ＲＯＭ、及び記憶部１１から情報を読み出し、ＲＡＭ及び記憶部１１に対して情報の書き込みを行い、通信部１２、入力インタフェース部１３、出力インタフェース部１４と信号の授受を行う。
制御部１０の詳細については、後述する。
【００３７】
＜記憶部１１＞
記憶部１１は、例えば磁気的、光学的記憶媒体若しくはＲＯＭ、ＲＡＭ等の半導体メモリで構成される。記憶部１１は、当該出入管理装置１の各制御対象機器（例えば、電気錠操作盤１８、自動扉制御器１７、宅配ロッカー制御器８、エレベーター制御器９（図示せず）等）の機器情報に関する各種データを機器情報エリア１１３に記憶している。また、モニタ情報としての状態信号（扉の開閉状態信号や電気錠１８１の施解錠状態信号）等の制御に関する各種データを機器情報エリア１１３に記憶している。また、ゲート等が操作された際の操作履歴情報（例えば、操作された時間（日時分秒等）、操作したユーザーに係る情報（例えば、ＩＤ情報、ユーザーＩＤ、部屋番号等）、操作されたゲートに係る操作情報（例えば、ゲートＩＤ、宅配ロッカー、エレベータに係る操作等）をログファイル１１２に記憶する。
また、出入管理装置１の制御を行うためのプログラム、さらに、後述するＩＤキーデータベース１１１等、種々の情報が記憶される。
【００３８】
ＩＤキーデータベース１１１は、出入管理装置１の制御対象とするゲートに設置される電気錠１８１あるいは自動ドアの解錠、宅配ロッカー制御器８、及びエレベーター制御器９（図示せず）等の操作を許可するか否かを判定するために、ＩＤキーのＩＤ情報等を登録管理する。
より具体的には、ＩＤキーデータベース１１１には、予めＩＤキーのＩＤ情報が登録されるとともに、当該ＩＤキーにより解錠又は操作の許可対象となるゲート情報、宅配ロッカーのロッカー番号、エレベータの乗降先等が対応付けて登録されている。
より具体的には、予めＩＤキーのＩＤ情報を出入管理装置１に附属する登録リーダー４により読ませることで、ＩＤキーのＩＤ情報をＩＤキーデータベース１１１に登録することができる。
また、当該ＩＤキーに対して、有効期限、有効時間帯等対応づけることができる。
そうすることで、ＩＤキーデータベース１１１には、例えば、住居人のＩＤキーとは別に、例えば利用時間に制限をかけた業者向けのＩＤキーを登録することができる。また、セキュリティを確保しながら、住戸玄関までの新聞配達を可能とＩＤキーを登録することができる。
【００３９】
＜制御部１０＞
次に、制御部１０の有する機能を当該機能を実行する手段（部）の観点から説明する。なお、当該機能の手順（方法）の観点に基づく説明は、「部」を「手順」に置き換えることで説明できるため、省略する。
制御部１０は、設定登録部１０１と、判定部１０２と、出入管理制御部１０３と、ＩＤ編集部１０４と、ログ作成部１０５と、を含む。また、ＩＤ編集部１０４は、さらにメール送信部と、選択部とを含む。
【００４０】
［設定登録部１０１］
設定登録部１０１は、出入管理装置１に附属する登録リーダー４により入力されたＩＤキーのＩＤ情報と、管理者により入力される、当該ＩＤキーにより許可されるゲートを識別するＩＤ（以下、「ゲートＩＤ」ともいう）、当該ＩＤキーにより許可される宅配ロッカーを識別するＩＤ、及び当該ＩＤキーにより許可されるエレベーターの乗降先等のデータ等（以下、これらのＩＤを総称して「ゲートＩＤ」ともいう）を対応付けて、ＩＤキーデータベース１１１に登録する。
なお、集合住宅用の出入管理装置１においては、当該ＩＤキーを利用するユーザーの部屋番号単位に、ＩＤ情報を管理することができる。
また、当該ＩＤキーを所有するユーザーを識別するＩＤ（以下、「ユーザーＩＤ」）をＩＤ情報に対応付けて登録することができる。また、当該ユーザーの電子メールＩＤをＩＤ情報に対応付けて登録することができる。
【００４１】
［判定部１０２］
判定部１０２は、当該出入管理装置１に接続されるリーダー１６により読み取られたＩＤキーのＩＤ情報を入力インタフェース部１３を介して受信し、受信したＩＤ情報が、ＩＤキーデーベース１１１に登録されているか否かを判定する。受信したＩＤ情報が登録され、かつ、当該ＩＤキーにより許可されるゲートＩＤが登録されているときに限り、当該ＩＤキーを正当なものと判定する。なお、受信したＩＤ情報が登録されていないときは、エラーとする。なお、当該ＩＤキーが、有効期限、有効時間帯等を有する場合は、現在日時情報が有効期限、有効時間帯の範囲内にあるときに限り、正当なものと判定することができる。
【００４２】
［出入管理制御部１０３］
判定部１０２によりＩＤ情報が正当であると判定された場合に、出入管理制御部１０３は、出力インタフェース部１４を介して、現在の電気錠１８１や自動扉の状態に応じた駆動制御信号を当該ＩＤ情報により許可されるゲートＩＤに対応する、制御対象機器に出力する。
例えば、出入管理制御部１０３は、共用エントランス、共用施設の解錠等を許可するための信号を、出力インタフェース部１４を介して、当該出入管理装置１の制御対象機器（例えば、電気錠操作盤１８、自動扉制御器１７等）に出力する。
同様に、出入管理制御部１０３は、宅配ロッカー、エレベーター等の操作を許可するための信号を、出力インタフェース部１４を介して、当該出入管理装置１の制御対象機器である宅配ロッカー制御器８、エレベーター制御器９（図示せず）等に出力する。
そうすることで、ＩＤキーを携行するユーザーは、ゲートにおける電気錠１８１、自動ドア等を解錠することで、当該ゲートを通過することが可能となる。同様に、ＩＤキーを携行するユーザーは、宅配ロッカー、エレベーター等の操作が可能となる。
【００４３】
［ＩＤ編集部１０４］
ＩＤ編集部１０４は、例えば管理者又は鍵業者により、ＩＤキーデーベースに登録されたＩＤ情報を、例えばＱＲコード（登録商標）のような２次元バーコードの形式（一種の画像データ）で、出力インタフェース部１４を介してプリンター３に出力することができる。
【００４４】
そうすることで、後述するように、２次元バーコード等をスマートフォンのような携帯電子機器９の備えているカメラで読み取り、２次元バーコード等読み取りアプリを含む、後述のＩＤキーアプリにより、スマートフォンのような携帯電子機器９の記憶部に登録して、当該携帯電子機器９をＩＤキーとして利用することが可能となる。
なお、ＩＤ情報を紙出力する際に、ＩＤ情報を一種の画像データともいえる、２次元バーコード等のような２次元バーコードの他、例えば１次元バーコードの形式、ＩＤ情報を暗号化した文字列、数列等又は文字列の形式で出力することができる。
この他、所定の画像情報にＩＤ情報を入力（又は記憶）させた画像データ形式で出力することができる。
また、紙出力以外に、表示部１５に、当該画像データを出力するようにしてもよい。
以下、ＱＲコード（登録商標）のような２次元バーコードを含む画像データを「２次元バーコード等」ともいう。
【００４５】
＜ＩＤ編集部１０４とＩＤキーデーベース＞
より具体的には、ＩＤ編集部１０４は、出入管理装置１のＩＤキーデーベースに登録されたデータ、すなわちＩＤキーのＩＤ情報を、当該ＩＤキーにより解錠許可対象となるゲート情報又は操作許可対象となる宅配ロッカーのロッカー番号、エレベータの乗降先等の権限情報と併せて出力することができる。
そうすることで、当該ＩＤキーにより、許可されるゲート又は操作可能な宅配ロッカーのロッカー番号、エレベータの乗降先等をユーザーに通知することが可能となる。
また、集合住宅用の出入管理装置１においては、ＩＤキーを「部屋」（占有部）単位で管理していることから、同一の部屋に登録されているＩＤキーに係るＩＤ情報を１枚の紙にまとめて出力することができる。
そうすることで、管理者や入居者への通知がしやすくなる。
【００４６】
＜携帯電子機器９へのＩＤ情報のコピー＞
ユーザーが、自身の有するＩＤキーのＩＤ情報をスマートフォンのような携帯電子機器９にコピーして、当該携帯電子機器９をＩＤキーとして利用する場合、ユーザーは、管理者（又は鍵業者）に対して、ＩＤキーデーベースに登録されたＩＤ情報が埋め込まれた２次元バーコード等の出力を依頼する。
【００４７】
図３に示すように、ユーザーからの依頼にもとづいて、出入管理装置１のＩＤキーデーベースに登録されたＩＤキーのＩＤ情報を、プリンター３によって、例えば２次元バーコード等形式として紙出力する。
【００４８】
ユーザーは、携帯電子機器９の記憶部にＩＤ情報をコピーするとともに、携帯情報機器をＩＤキーとして作用させるための、ＩＤキーコピーに関するアプリケーション（以下、「ＩＤキーアプリ」という）を、例えば鍵業者等の提供するＷｅｂサイト（Ｗｅｂサーバ）にアクセスして、インストールする。
ユーザーは、紙出力された２次元バーコード等形式の画像情報を、例えば携帯情報機器の備えるカメラにより画像データとして記憶部に記憶する。
【００４９】
その後、ＩＤキーアプリが携帯電子機器９上で起動されることで、携帯電子機器９の制御部は、ＩＤキーのＩＤ情報を記憶部にコピーするとともに、携帯電子機器９をＩＤキーとして利用可能な状態とする。
より具体的には、携帯電子機器９の備えるカメラにより画像データとして取得された２次元バーコード等形式の画像情報を、ＩＤキーアプリによりコード変換して、コード変換されたＩＤキーの識別情報のコードデータを携帯電子機器９の記憶部に記憶する。
そうすることで、ＩＤキーアプリにより携帯電子機器９をＩＤキーとして利用可能な状態とされる。
【００５０】
より具体的には、当該携帯電子機器９によるＩＤキーとしての操作は、インストールしたＩＤキーアプリを事前に起動させるか、あるいはリーダー１６への近接操作により自動で起動させてＩＤ情報のリーダー１６への送信を行うように構成することができる。
その後、リーダー１６は、読み取ったＩＤ情報等を出入管理装置１（判定部１０２）に送信することができる。
【００５１】
［出力形式の変形例］
上記実施例では、ＩＤ編集部１０４が、ＩＤ情報を２次元バーコード等の画像データに変換して、プリンター３により紙出力する形態について説明したが、ＩＤ情報の出力形式は、これに限定されない。
前述したように、ＩＤ編集部１０４は、ＩＤ情報を２次元バーコード等以外のコード形式（例えば、バーコード）に基づいて、出力してもよい。また、ＩＤ編集部１０４は、ＩＤ情報を文字列又は数列として出力してもよい。なお、ＩＤ情報を文字列又は数列として出力する場合は、暗号キーで暗号化した文字列又は数列を出力することが好ましい。また、所定の画像情報にＩＤ情報を入力（又は記憶）させた画像データ形式で出力するようにしてもよい。
【００５２】
［出力形態の変形例］
また、上記実施例では、ＩＤ編集部１０４が、ＩＤ情報をプリンター３により紙出力する形態について、説明したが、ＩＤ情報の出力形態は、これに限定されない。
前述したように、例えば、表示部１５に画像データを出力するようにしてもよい。
この場合、ユーザーは、表示部１５に表示された２次元バーコード等の画像情報を、例えば携帯電子機器９の備えるカメラにより画像データとして記憶部に記憶する。その後、ＩＤキーアプリにより携帯電子機器９をＩＤキーとして利用可能な状態とする。  また、例えば、所定の電子メールアドレスに対して前記選択されたＩＤキーの識別情報を記載した電子メールを送信するメール送信部とプリンター３への出力と前記電子メールの送信のいずれかを選択する選択部と、を備えることで、紙出力に替えて、ＩＤ情報を記載した電子メールをユーザーの携行する携帯電子機器９に送信するようにしてもよい。
なお、常に電源が入った状態で無線でネットワーク接続されるスマートフォンのような携帯電子機器９ではプッシュ型が有効である。ここで、プッシュ型電子メールとは、メール配送エージェント（メールサーバ）から、電子メールクライアント（携帯電子機器９の電子メールアプリ）に対して、即時かつ能動的に電子メールを転送する方式をいう。
【００５３】
この場合、携帯電子機器９は、前述したＩＤキーアプリが携帯電子機器９上で起動されることで、携帯電子機器９の制御部は、電子メールに記載されたＩＤキーのＩＤ情報を記憶部にコピーして、携帯電子機器９をＩＤキーとして利用可能な状態とする。
なお、携帯電子機器９が電子メールを介して、ＩＤ情報を取得するためには、予め出入管理装置１の記憶部１１（例えば、ＩＤキーデータベース１１１でもよい、また他のテーブルでもよい）に、当該ユーザーのメールアドレスを、ＩＤキー（ＩＤ情報）に対応付けて、記憶しておくことが、望ましい。
また、電子メールへのプッシュに替えて、ＩＤ編集部１０４は、ＩＤキーのＩＤ情報をＩＤキーアプリにプッシュするように構成してもよい。
【００５４】
＜ＩＤ情報コピーの運用＞
次に、ＩＤキーデータベース１１１に登録されたＩＤキーのＩＤ情報を携帯電子機器９にコピーする場合に、ＩＤ情報コピーに関する運用について説明する。なお、下記に記載の事項は、一例であって、これに限定されるものではない。
【００５５】
［課金処理について］
ＩＤ編集部１０４の出力した２次元バーコード等を用いて、ＩＤ情報を携帯電子機器９へコピーをする際、鍵業者等は、例えば次のように課金処理を行うことができる。
前述したように、携帯電子機器９へのコピーは、鍵業者等の提供するＷｅｂサイト（Ｗｅｂサーバ）にアクセスして、携帯情報機器をＩＤキーとして作用させるための、ＩＤキーアプリをインストールして、ＩＤキーアプリを利用することを前提とする。
そこで、ＩＤキーアプリは、携帯情報機器にＩＤ情報をコピーする際に、例えばＷｅｂサーバを介して、鍵業者等のサーバに、コピー対象となったＩＤキーに係る情報、携帯端末機のユーザーに係る情報（例えば、ユーザーＩＤ）、コピー処理の日時に関する情報等、課金処理に係る必要な情報を通知するように構成することができる。そうすることで、鍵業者等のサーバは、当該通知に基づいて、課金処理に係る必要な情報を課金ファイル（仮称）に記録するように構成することができる。
そうすることで、課金ファイル（仮称）に基づいて、鍵業者等は、ユーザーに対して、課金処理（例えば、クレジット等の電子決済、請求書作成等）を行うことが可能となる。
【００５６】
［コピー回数の制限例１（ライトワンス）］
次に、出力された２次元バーコード等を用いて、ＩＤ情報を携帯電子機器９へコピーをする際のコピー回数の制限について説明する。なお、下記に記載の事項は、一例であって、これに限定されるものではない。
例えば、ＩＤ編集部１０４により出力された２次元バーコード等を用いた、ＩＤ情報の携帯電子機器９へのコピーを１回限りとするように制限することができる。
このため、ＩＤ編集部１０４は、ＩＤ情報を編集して２次元バーコード等を作成する際に、当該２次元バーコード等を識別するための２次元バーコード等識別情報（例えば、シーケンス番号又はタイムスタンプ）を付加しておく。
そして、ＩＤキーアプリにより、２次元バーコード等から携帯電子機器９にＩＤ情報をコピーする場合に、ＩＤキーアプリは、ＩＤ情報及び当該２次元バーコード等識別情報を、例えばＷｅｂサーバを介して、前述した鍵業者等のサーバに通知するように構成することができる。
そうすることで、鍵業者等のサーバは、当該通知に基づいて、当該ＩＤ番号及び当該２次元バーコード等識別情報に対応するレコードが２次元バーコード等作成ファイル（仮称）に無い場合、当該レコードをコピー処理の日時に関する情報及び使用済み情報（一種の無効化情報に相当する）等とともに２次元バーコード等作成ファイル（仮称）に記録するように構成することができる。
そうすることで、コピー済みの２次元バーコード等を用いて２回目以降のコピーができないようにする。
【００５７】
より具体的には、ＩＤキーアプリは、２次元バーコード等を用いて、携帯電子機器９にＩＤ情報をコピーする際に、ＩＤ情報及び当該２次元バーコード等識別情報を、例えばＷｅｂサーバを介して、前述した鍵業者等のサーバに通知する。鍵業者等のサーバは、当該通知に基づいて、２次元バーコード等作成ファイル（仮称）を、２次元バーコード等識別情報に基づいて参照することで、当該２次元バーコード等識別情報に対応する２次元バーコード等が使用済みか否かを判定することができる。
当該２次元バーコード等が使用済みの場合には、その旨の警告メッセージを携帯電子機器９に通知することで、ＩＤキーアプリは、使用済みの２次元バーコード等をコピーできないようにすることができる。
【００５８】
なお、鍵業者等のサーバが、２次元バーコード等作成ファイル（仮称）にレコードを作成するに際しては、ＩＤ編集部１０４が、２次元バーコード等及び２次元バーコード等識別情報を、鍵業者等のサーバに通知するように構成してもよい。
この場合、鍵業者等のサーバは、ＩＤキーアプリから、携帯電子機器９にＩＤ情報をコピーする場合に受信する前述した通知に基づいて、当該２次元バーコード等識別情報に対応する２次元バーコード等が使用済みか否かを判定することができる。
【００５９】
［コピー回数の制限例２（コピー回数の上限値）］
ＩＤ情報の携帯電子機器９へのコピーを１回限りとすることに替えて、コピー可能な回数（上限値）を予め設定することで、コピーを上限値の回数まで許容し、上限値を超えると、コピーできないようにすることができる。
より具体的には、鍵業者等のサーバは、ＩＤキーアプリから、携帯電子機器９にＩＤ情報をコピーする場合に受信する前述した通知に基づいて、前述した２次元バーコード等作成ファイル（仮称）に、コピー処理の日時に関する情報及びコピー回数を記録するように構成することができる。
そうすることで、鍵業者等のサーバは、ＩＤキーアプリから、携帯電子機器９にＩＤ情報をコピーする場合に受信する前述した通知に基づいて、２次元バーコード等作成ファイル（仮称）を参照して、当該２次元バーコード等識別情報に対応する２次元バーコード等のコピー回数が上限値に達しているか否かを判定することができる。
当該２次元バーコード等識別情報に対応する２次元バーコード等のコピー回数が上限値に達している場合には、その旨の警告メッセージを携帯電子機器９に通知することで、２次元バーコード等をコピーできないようにすることができる。
【００６０】
［２次元バーコード等の再発行に伴う、旧２次元バーコード等の失効］
ＩＤ編集部１０４が、２次元バーコード等を再発行した場合に、それまでに発行されている２次元バーコード等を失効化することができる。
例えば、ＩＤ編集部１０４により、ＩＤキーのＩＤ情報に対応する２次元バーコード等を新たに出力（発行）した場合、以前に発行した古い２次元バーコード等を使用できないように構成することができる。
例えば、ＩＤ編集部１０４は、ＩＤ情報を編集して２次元バーコード等を作成する際に、当該２次元バーコード等を識別するための２次元バーコード等識別情報（例えば、シーケンス番号又はタイムスタンプ）を付加する。そして、ＩＤ編集部１０４は、作成した２次元バーコード等及び２次元バーコード等識別情報を前述した鍵業者等のサーバに通知するように構成する。
さらに、ＩＤ編集部１０４は、新たな２次元バーコード等を作成したときは、例えばタイムスタンプ又はシーケンス番号を繰り上げて作成することができる。
鍵業者等のサーバは、同一の２次元バーコード等（ＩＤ情報）が作成済みであるか否かを２次元バーコード等作成ファイル（仮称）を参照してチェックする。作成済みの同一の２次元バーコード等（ＩＤ情報）が存在する場合、一例として、２次元バーコード等情報の使用可能／不可設定情報としてフラグ領域を２次元バーコード等作成ファイル（仮称）の各レコード内に設け、作成済みの同一の２次元バーコード等を使用不可とする使用不可フラグを当該作成済みの同一の２次元バーコード等のレコードに記録するように構成することができる。
そうすることで、例えば携帯電子機器９が２次元バーコード等を用いて、携帯電子機器９にＩＤ情報をコピーする際に、鍵業者等のサーバは、ＩＤキーアプリから、携帯電子機器９にＩＤ情報をコピーする場合に受信する、前述した通知に基づいて、２次元バーコード等作成ファイル（仮称）を参照することで、当該２次元バーコード等識別情報に対応する２次元バーコード等が使用不可か否かを判定することができる。
【００６１】
なお、コピー回数の制限例１と同様に、鍵業者等のサーバは、ＩＤキーアプリから、携帯電子機器９にＩＤ情報をコピーする場合に受信する前述した最初の通知に基づいて、２次元バーコード等作成ファイル（仮称）にレコードの作成、及び旧レコードに使用不可フラグを記録するように構成してもよい。
【００６２】
［２次元バーコード等の再発行に伴う、旧２次元バーコード等によりコピーされたＩＤ情報の失効］
２次元バーコード等の再発行に伴って、旧２次元バーコード等を用いて、携帯電子機器９にコピーされたＩＤ情報（以下、「旧ＩＤ情報」という）を失効させることができる。こうすることで、再発行された２次元バーコード等を用いて、コピーされるＩＤ情報（以下、「新ＩＤ情報」という）のみを有効とする。
【００６３】
具体的には、ＩＤ編集部１０４は、ＩＤ情報を編集して２次元バーコード等を作成する際に、当該２次元バーコード等を識別するための２次元バーコード等の識別情報（例えば、シーケンス番号）を付加して、出力する。ＩＤ編集部１０４は、ＩＤ情報と当該２次元バーコード等を識別するための２次元バーコード等の識別情報（例えば、シーケンス番号）を合わせて、新たなＩＤ情報として、ＩＤキーデータベース１１１に登録するとともに、旧ＩＤ情報を無効にするように構成することもできる。
そして、ＩＤキーアプリは、ＩＤ情報と当該２次元バーコード等を識別するための２次元バーコード等の識別情報（例えば、シーケンス番号）を合わせて、新たなＩＤ情報として、携帯電子機器９に記録するとともに、旧ＩＤ情報を無効化（又は削除）する。
そうすることで、判定部１０２は、携帯電子機器９のＩＤ情報をリーダー１６により読み取る際に、ＩＤキーデータベース１１１を参照して、携帯電子機器９の記憶するＩＤ情報のシーケンス番号が有効なシーケンス番号か否かを判定するように構成される。携帯電子機器９の記憶するＩＤ情報のシーケンス番号が有効であるときに限り、当該携帯電子機器９の記憶するＩＤ情報を正当なものと判定するように構成される。
【００６４】
［運用上の制限例４（有効期限）］
ユーザーが、自身の有するＩＤキーのＩＤ情報をスマートフォンのような携帯電子機器９にコピーして、当該携帯電子機器９をＩＤキーとして利用する場合に、管理者又は鍵業者は、次のようにして、有効期限を設けることができる。そうすることで、有効期限を過ぎた場合には、当該携帯電子機器９をＩＤキーとして利用することができなくなるようにすることができる。
このため、ＩＤ編集部１０４は、ＩＤ情報を編集して２次元バーコード等を作成する際に、当該２次元バーコード等を識別するための２次元バーコード等識別情報（例えば、シーケンス番号又はタイムスタンプ）、及び有効期限を付加して、出力する。
そうすることで、例えば２次元バーコード等を用いて、携帯電子機器９にＩＤ情報をコピーする際に、ＩＤキーアプリが、ＩＤ情報をその有効期限とともに、携帯電子機器９に記録する。
そして、携帯電子機器９が前述のリーダー１６に近づけることで、携帯電子機器９から、例えば、近距離無線通信ＮＦＣ等によってＩＤ情報及び有効期限を読み取り、読み取ったＩＤ情報等を出入管理装置１（判定部１０２）に送信することができる。
その場合、判定部１０２は、携帯電子機器９の記憶するＩＤ情報の有効期限を過ぎているか否かを判定するように構成される。携帯電子機器９の記憶するＩＤ情報の有効期限を過ぎていないときに限り、当該携帯電子機器９の記憶するＩＤ情報を正当なものと判定するように構成される。
【００６５】
［運用上の制限例４（有効期限）の別実施例］
ＩＤ編集部１０４は、ＩＤ情報を編集して２次元バーコード等を作成する際に、当該２次元バーコード等を識別するための２次元バーコード等識別情報（例えば、シーケンス番号又はタイムスタンプ）、及び有効期限を付加して、出力する。ＩＤ編集部１０４は、ＩＤ情報と当該２次元バーコード等を識別するための２次元バーコード等識別情報（例えば、シーケンス番号又はタイムスタンプ）を合わせて、新たなＩＤ情報として、その有効期限とともにＩＤキーデータベース１１１に、追加するように構成することもできる。
そして、ＩＤキーアプリは、ＩＤ情報と当該２次元バーコード等を識別するための２次元バーコード等識別情報（例えば、シーケンス番号又はタイムスタンプ）を合わせて、新たなＩＤ情報として、携帯電子機器９に記録する。
そうすることで、携帯電子機器９がリーダー１６に近づけることで、携帯電子機器９から、例えば、近距離無線通信ＮＦＣ等によって新たなＩＤ情報を読み取り、読み取った新たなＩＤ情報等を出入管理装置１（判定部１０２）に送信することができる。
その場合、判定部１０２は、ＩＤキーデータベース１１１を参照して、携帯電子機器９の記憶する新たなＩＤ情報の有効期限を過ぎているか否かを判定するように構成される。携帯電子機器９の記憶する新たなＩＤ情報の有効期限を過ぎていないときに限り、当該携帯電子機器９の記憶する新たなＩＤ情報を正当なものと判定するように構成される。
以上、運用上の制限例を説明したが、これらに限定されるものではない。
【００６６】
［ログ作成部］
ログ作成部は、ゲート等が操作された際の操作履歴情報（例えば、操作された時間（日時分秒等）、操作したユーザーに係る情報（例えば、ＩＤ情報、ユーザーＩＤ、ユーザーの部屋番号等）、操作されたゲートに係る情報（例えば、ゲートＩＤ、宅配ロッカー、エレベータに係る許可操作情報等）を記憶部１１のログファイルに編集して、記録する。
以上、出入管理装置１をスタンドアロンで使用する場合の第１実施形態について説明した。
【００６７】
［第２実施形態］
次に、出入管理装置１をネットワークで接続し、管理ＰＣにより管理する第２実施形態について説明する。第２実施形態については、主として、第１実施形態と異なる点を中心に説明し、第１実施形態と同様な構成については詳細な説明を省略する。第２実施形態において、特に説明しない点は、第１実施形態についての説明が適宜適用される。また、第２実施形態においても、第１実施形態と同様な効果が奏される。
【００６８】
図４に示すように、第２実施形態に係る出入管理システム１００Ａは、管理ＰＣと複数の出入管理装置１とを例えばスイッチングハブ、ＬＡＮケーブル等を介して通信可能なネットワーク構成とする。各出入管理装置１には、リーダー１６、電気錠操作盤１８、自動扉制御器１７、宅配ロッカー制御器８、エレベーター制御器９（図示せず）等を信号ケーブル等で接続することができる。
また、管理ＰＣは、プリンター３を接続することができる。
【００６９】
第２実施形態は、第１実施形態に比較して、管理ＰＣ５を備えること、及び管理ＰＣ５と複数の出入管理装置１とをネットワークで通信可能に接続されている点で異なる。
管理ＰＣ５は、ネットワークを介して、各出入管理装置１を管理することができる。
【００７０】
＜出入管理装置１＞
出入管理装置１をネットワークで使用する場合（第２実施形態）において、リーダー１６、制御部１０の判定部１０２、出入管理部１０３、ログ作成部１０４等は、第１実施形態と同じである。
以下、第１実施形態と異なる点を中心に説明する。
図５に示すように、出入管理装置１は、制御部１０と、記憶部１１と、通信部１２と、入力インタフェース部１３と、出力インタフェース部１４と、表示部１５と、を含む。
通信部１２は、例えばスイッチングハブ、ＬＡＮケーブル等を介して、例えば管理ＰＣとのデータの送受信等を行うように構成することができる。また、通信部１２は、例えばスイッチングハブ、ＬＡＮケーブル等を介して、例えば管理ＰＣを介して、又は直接に、他の出入管理装置１とのデータの送受信等を行うように構成することができる。
【００７１】
第２実施形態においては、出入管理装置１の制御部１０は、ＩＤ編集部１０４を備えない。後述するように、管理ＰＣ５の制御部５０がＩＤ編集部５０３を備える。
【００７２】
また、第２実施形態においては、出入管理装置１の制御部１０の備える設定登録部１０１は、後述する管理ＰＣ５の制御部５０が備える設定登録部５０１により管理されるように構成される。
より具体的には、出入管理装置１の制御部１０の備える設定登録部１０１は、管理ＰＣ５の制御部５０が備える設定登録部５０１からの命令に基づいて、ＩＤキーデータベース１１１への入出力を行う。
【００７３】
また、第２実施形態においては、出入管理装置１はプリンター３及び登録リーダー４を備えない。後述するように、管理ＰＣ５がプリンター３及び登録リーダー４を備えることで、選択されたＩＤキーの識別情報のプリント出力及びＩＤ情報等のＩＤキーデータベース１１１への設定登録処理を一元的に管理することができる。
【００７４】
＜管理ＰＣ＞
図５に示すように、管理ＰＣ５は、制御部５０と、記憶部５１と、通信部５２と、入力部５３と、表示部５４と、を備える。さらに、管理ＰＣ５は、プリンター３及び登録リーダー４と接続することができる。
管理ＰＣは、タブレット端末、ＰＤＡ、ノートパソコン、パソコン、サーバ等の電子機器を含む。
【００７５】
制御部５０は、例えばＣＰＵやＲＯＭ，ＲＡＭ等から構成され、管理ＰＣを構成する各構成部の制御を行う。ＣＰＵは、ＲＯＭ又は記憶部５１から読み出した各プログラムを実行し、その実行の際にはＲＡＭ、ＲＯＭ、及び記憶部５１から情報を読み出し、ＲＡＭ及び記憶部５１に対して情報の書き込みを行い、通信部５２、入力部５３、出力部５４、プリンター３及び登録リーダー４等と信号の授受を行う。
制御部の詳細については、後述する。
【００７６】
＜記憶部５１＞
記憶部５１は、例えば磁気的、光学的記憶媒体若しくはＲＯＭ、ＲＡＭ等の半導体メモリで構成される。
記憶部５１は、各出入管理装置１の備えるＩＤキーデータベース１１１のバックアップとなるＩＤキーデータベース群５１１を記憶することができる。そうすることで、仮に出入管理装置１にの記憶部１１に記憶したＩＤキーデータベース１１１に障害が発生した場合に、当該出入管理装置１の備えるＩＤキーデータベース１１１のバックアップデータにより、復元することが可能となる。
また、記憶部５１は、ログファイル５１２と、機器情報エリア５１３とを備える。
機器情報エリア５１３には、各出入管理装置１の機器情報に関する各種データを記憶している。また、モニタ情報としての状態信号（各出入管理装置１の状態信号）等の制御に関する各種データを記憶している。
ログファイル５１２には、管理ＰＣが管理者により操作された際の操作履歴情報（例えば、操作された時間（日時分秒等）、操作した管理者に係る情報、操作内容を記憶する。
この他、記憶部５１には、出入管理装置１の制御を行うためのプログラム等が記憶される。
【００７７】
通信部５２は、例えばスイッチングハブ、ＬＡＮケーブル等を介して、各出入管理装置１とのデータの送受信等を行う。また、通信部５２は、無線通信部（図示せず）を含み、管理業務用携帯端末とデータの送受信を行うことができる。
ここで、管理業務用携帯端末は、スマートフォンやタブレット端末、ＰＤＡ、ノートパソコン、さらには携帯電話を含むその他の携帯可能な電子機器であって、無線通信機能を備える電子機器を含む。
【００７８】
入力部５３は、テンキーと呼ばれる物理スイッチや、例えば表示部５４の表示面に重ねて設けられたタッチパネル等の入力装置（図示せず）等で構成される。入力部５３からの操作入力、例えばユーザーによるテンキーの押下、タッチパネルのタッチに基づいた信号を制御部５０に出力することで、例えば出入管理装置１の操作を行うことができる。
【００７９】
表示部５４は、例えば液晶ディスプレイ又は有機ＥＬパネル等の表示デバイスにより構成され、制御部５０からの指示を受けて画像を表示する。表示部５４は、各出入管理装置を管理する際の各種情報を表示することができる。
【００８０】
＜制御部５０＞
次に、制御部５０の有する機能を当該機能を実行する手段（部）の観点から説明する。なお、当該機能の手順（方法）の観点に基づく説明は、「部」を「手順」に置き換えることで説明できるため、省略する。
制御部５０は、設定登録部５０１と、出入管理装置制御部５０２と、ＩＤ編集部５０３と、ログ管理部５０４と、を含む。また、ＩＤ編集部５０３は、さらにメール送信部５０３１と、選択部５０３２とを含むことができる（図示せず）。
【００８１】
［設定登録部５０１］
設定登録部５０１は、通信部５２を介して各出入管理装置１と通信をすることで、各出入管理装置１に対して、登録リーダー４により入力されたＩＤキーのＩＤ情報と、管理者により入力される、当該ＩＤキーにより許可されるゲートを識別するＩＤ（以下、「ゲートＩＤ」ともいう）、当該ＩＤキーにより許可される宅配ロッカーを識別するＩＤ、及びエレベーターにより許可される乗降先等のデータ等を対応付けて、各出入管理装置１のＩＤキーデータベース１１１に設定登録する。
なお、設定登録部５０１は、通信部５２を介して各出入管理装置１と通信をすることで、各出入管理装置１に対して設定登録したＩＤキーデータベース１１１のバックアップを記憶部５１に記憶することができる。
【００８２】
設定登録部５０１は、このようにして設定登録されたＩＤキーのＩＤ情報に関して、複数の出入管理装置１を横断的に統括して管理することができる。例えば、設定登録部５０１は、当該ＩＤキーを利用するユーザーの部屋番号単位に、複数の出入管理装置１を横断的に、ＩＤ情報を管理することができる。
また、設定登録部５０１は、住居人のＩＤキーとは別に、例えば利用時間に制限をかけた業者向けのＩＤキーを複数の出入管理装置１を横断的に登録することができる。また、セキュリティを確保しながら、住戸玄関までの新聞配達を可能とＩＤキーを登録することができる。この他、適宜、住居人以外の業者向けに許可するゲート及び利用時間等を適宜設定することができる。
【００８３】
また、設定登録部５０１は、当該ＩＤキーを所有するユーザーを識別するＩＤ（以下、「ユーザーＩＤ」という）をＩＤ情報に対応付けて登録することができる。また、当該ユーザーの電子メールＩＤをＩＤ情報に対応付けて登録することができる。
また、設定登録部５０１は、通信部５２を介して各出入管理装置１と通信をすることで、各出入管理装置１に記憶される各種設定データの読み込み、編集、出力を行うことができる。
【００８４】
［出入管理装置制御部５０２］
出入管理装置制御部５０２は、通信部５２を介して各出入管理装置１の制御部１０と通信をすることで、各出入管理装置１を監視、又はリモート操作することができる。
例えば、出入管理装置制御部５０２は、通信部５２を介して各出入管理装置１の制御部１０と通信をすることで、管理者により選択されたゲートの扉の状態を確認することができる。また、出入管理装置制御部５０２は、通信部５２を介して各出入管理装置１の制御部１０と通信をすることで、管理者により選択されたゲートを施錠・解錠・解錠禁止にすることができる。
また、出入管理装置制御部５０２は、通信部５２を介して各出入管理装置１の制御部１０と通信をすることで、各出入管理装置１の制御部１０が受信した警報・障害状態の表示部５４への表示、また各出入管理装置１の制御部１０が受信した警報・障害状態を監視することができる。
出入管理装置制御部５０２は、通信部５２を介して各出入管理装置１の制御部１０と通信をすることで、各出入管理装置１のログファイルに蓄積されたログ情報を検索表示することができる。
また、出入管理装置制御部５０２は、通信部５２を介して各出入管理装置１の制御部１０と通信をすることで、各出入管理装置１のファームウェア等を管理、アップデートすることができる。
【００８５】
［ＩＤ編集部５０３］
ＩＤ編集部５０３は、通信部５２を介して各出入管理装置１の制御部１０と通信をすることで、例えば管理者により、選択されたＩＤキーのＩＤ情報を、登録された所定の出入管理装置１のＩＤキーデーベース１１１から、例えば２次元バーコード等のような２次元バーコードの形式で、プリンター３に出力することができる。
なお、第１実施形態で説明したように、ＩＤ編集部５０３は、管理ＰＣ５の表示部５４に画像データを出力するようにしてもよい。そうすることで、ユーザーは、表示部５４に表示された２次元バーコード等の画像情報を、例えば携帯電子機器９の備えるカメラにより画像データとして記憶部に記憶することができる。
また、管理ＰＣ５は、前述した管理業務用携帯端末（例えばスマートフォン）に無線を介して出力することができる。そうすることで、ユーザーは、管理業務用携帯端末（例えばスマートフォン）の表示部に表示された２次元バーコード等の画像情報を、例えば、ユーザーの携行する携帯電子機器９の備えるカメラにより画像データとして記憶部に記憶することができる。なお、管理業務用携帯端末（例えばスマートフォン）に記憶された２次元バーコード等の画像情報を、端末間通信を介して、ユーザーの携行する携帯電子機器９に取り込むように構成することもできる。
【００８６】
なお、管理ＰＣ５のＩＤ編集部５０３の機能は、第１実施形態における出入管理装置１のＩＤ編集部１０４の説明において、「出入管理装置１のＩＤ編集部１０４」を「管理ＰＣ５のＩＤ編集部５０３」に読み替えることで説明することができるので、詳細な説明を省略する。
【００８７】
また、第１実施形態で説明した「［出力形式の変形例］」、及び「＜ＩＤ情報コピーの運用＞」（［課金処理について］、［コピー回数の制限例１（ライトワンス）］、［コピー回数の制限例２（コピー回数の上限値）］、［２次元バーコード等の再発行に伴い、旧２次元バーコード等の失効］、［２次元バーコード等の再発行に伴う、旧２次元バーコード等によりコピーされたＩＤ情報の失効］、［運用上の制限例４（有効期限）］、［運用上の制限例４（有効期限）の別実施例］）についても、「出入管理装置１のＩＤ編集部１０４」を「管理ＰＣ５のＩＤ編集部５０３」に読み替えることで説明することができるので、詳細な説明を省略する。
【００８８】
また、第１実施形態で説明した「［出力形態の変形例］」においては、「出入管理装置１のＩＤ編集部１０４」、「メール送信部」、及び「選択部」を、それぞれ「管理ＰＣ５のＩＤ編集部５０３」、「管理ＰＣ５のメール送信部」、及び「管理ＰＣ５の選択部」に読み替えることで説明することができるので、詳細な説明を省略する。
【００８９】
［ログ管理部］
ログ管理部５０４は、管理ＰＣの操作履歴情報（例えば、操作された時間（日時分秒等）、操作したユーザーに係る情報（例えば、ＩＤ情報、ユーザーＩＤ、ユーザーの部屋番号等）、操作され内容に係る情報（例えば、設定登録部５０１及び出入管理装置制御部５０２によるリモート操作、ＩＤ編集部５０３の処理等）を記憶部５１のログファイル５１２に編集して、記録するとともに、表示することができる。
また、ログ管理部５０４は、通信部５２を介して各出入管理装置１と通信をすることで、各出入管理装置１の備えるログファイルを保存するとともに、表示することができる。
以上、管理ＰＣと複数の出入管理装置１とをネットワークで接続して、使用する場合の第２実施形態について説明した。
【００９０】
上述した出入管理装置１は、ユーザーの携行するＩＤキーに記憶されたＩＤキーの識別情報に基づいて、建物の出入管理ゲートに取り付けられた電気錠１８１の解錠を制御する出入管理装置であって、ＩＤキーの識別情報が予め登録されているＩＤキーデータベース１１１を記憶する記憶部１１と、リーダー１６により読み取られたユーザーの携行するＩＤキーの識別情報を受信し、受信したＩＤキーの識別情報が、ＩＤキーデータベース１１１に登録されているか否かを判定する判定部１０２と、判定部１０２により、ＩＤキーの識別情報がＩＤキーデータベース１１１に登録されていると判定された場合に、建物の出入管理ゲートに取り付けられた電気錠１８１の解錠を制御するための信号を出力する出入管理制御部１０３と、ＩＤキーデータベース１１１に登録されているＩＤキーのうち、選択されたＩＤキーの識別情報をプリンター３に出力するＩＤキー編集部１０４と、を備える。
【００９１】
また、出入管理装置１のＩＤキー編集部１０４は、さらに、ＩＤキーの識別情報を、ＩＤキーの識別情報が埋め込まれた２次元コード、又はＱＲコード（登録商標）としてプリンター３に出力することができる。
【００９２】
また、出入管理装置１のＩＤキー編集部１０４は、さらに、ＩＤキーの識別情報をメール送信部を介して所定のアドレスに送信することができる。
【００９３】
同様に、上述した管理ＰＣ５は、ＩＤキーデータベース１１１に登録されているＩＤキーのうち、選択されたＩＤキーの識別情報をプリンター３に出力するＩＤキー編集部５０４を備える。
【００９４】
また、管理ＰＣ５のＩＤキー編集部５０４は、さらに、ＩＤキーの識別情報を、ＩＤキーの識別情報が埋め込まれた２次元コード、又はＱＲコード（登録商標）としてプリンター３に出力することができる。
【００９５】
また、管理ＰＣ５のＩＤキー編集部５０４は、さらに、ＩＤキーの識別情報をメール送信部を介して所定のアドレスに送信することができる。
【００９６】
そうすることで、ユーザーが携帯電子機器９（例えばスマートフォン等）を、建物の出入管理ゲートを通過するためのＩＤキーとして利用したい場合に、出入管理装置１に登録されているＩＤ情報を、プリンター３から出力されたＩＤキーの識別情報又は受信したメールに記載されたＩＤキーの識別情報に基づいて、容易に当該携帯電子機器９に登録することができる。
【００９７】
本発明の出入管理システムは、ハードウェアにより実行させることもできるし、ソフトウェアにより実行させることもできる。
換言すると、図２及び図５の機能的構成は例示に過ぎず、特に限定されない。すなわち、本発明の出入管理機能に関する一連の処理を全体として実行できる機能が出入管理システムに備えられていれば足り、この機能を実現するためにどのような機能ブロックを用いるのかは特に図２及び図５の例に限定されない。
また、１つの機能ブロックは、ハードウェア単体で構成してもよいし、ソフトウェア単体で構成してもよいし、それらの組合せで構成してもよい。
【００９８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータであってもよい。
【００９９】
このようなプログラムを含む記録媒体は、ユーザにプログラムを提供するために装置本体とは別に配布されるリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、ブルーレイディスク、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）、等により構成される。また、装置本体に予め組み込まれた状態でユーザに提供される記録媒体は、例えば、プログラムが記録されている図２の記憶部１１、図５の記憶部５１に含まれるハードディスク等で構成される。
【符号の説明】
【０１００】
１００  出入管理システム
１  出入管理装置
１０  制御部
１０１  設定登録部
１０２  判定部
１０３  出入管理制御部
１０４  ＩＤ編集部
１０５  ログ作成部
１１  記憶部
１１１  ＩＤキーデータベース
１１２  ログファイル
１１３  機器情報エリア
１２  通信部
１３  入力インタフェース部
１４  出力インタフェース部
１５  表示部
１６  リーダー
２  ＩＤキー
３  プリンター
４  登録リーダー
５  管理ＰＣ
５０  制御部
５０１  設定登録部
５０２  出入管理装置制御部
５０３  ＩＤ編集部
５０４  ログ管理部
５１  記憶部
５１１  ＩＤキーデータベース群
５１２  ログファイル
５１３  機器情報エリア
５２  通信部
５３  入力部
５４  表示部
６  自動扉制御器
７  電気錠制御器
８  宅配ロッカー制御器
９  携帯電子機器
【図１】
2016194212.tif 000003
【図２】
2016194212.tif 000004
【図３】
2016194212.tif 000005
【図４】
2016194212.tif 000006
【図５】
2016194212.tif 000007
【図６】
2016194212.tif 000008